(57)【要約】【課題】原稿の光沢度に応じて原稿をより忠実に再現することのできる原稿画像データを生成することのできる画像読取装置を、装置サイズの大型化および装置コストの増大を伴わずに実現する。【解決手段】光源から出射されて原稿で乱反射した乱反射光を受光し（Ｓ１）、受光した乱反射光の光量を算出し（Ｓ５）、光源から出射されて原稿で正反射した正反射光を受光し（Ｓ６）、受光した正反射光の光量を算出し（Ｓ９）、正反射光の光量と乱反射光の光量との比率である正反射比率を算出し（Ｓ１０）、正反射比率の大きさが所定値未満の場合には標準の入力階調補正処理（Ｓ１２）および標準の色補正処理（Ｓ１３）を行い、正反射比率が所定値以上の場合には標準よりも明るさが増す入力階調補正処理（Ｓ１４）および標準よりも画像が鮮やかになる色補正処理（Ｓ１５）を行う。【選択図】図１
2011217270.tif 000002
【特許請求の範囲】
【請求項１】
光源と、上記光源から出射されて原稿で反射した反射光を受光して電気信号に変換することにより上記原稿の画像データである原稿画像データを生成する受光部とを備えた画像読取装置であって、
上記受光部は、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成するようになっており、
上記受光部が受光した上記正反射光の光量と上記受光部が受光した上記乱反射光の光量との比率である正反射比率を算出する反射比率算出部と、
上記正反射比率に応じて上記原稿画像データを補正する画像データ補正部とを備えていることを特徴とする画像読取装置。
【請求項２】
上記画像データ補正部は、上記乱反射光の光量に対する上記正反射光の光量の比率が大きいほど鮮やかさが増すように上記原稿画像データに対して色補正処理を行うことを特徴とする請求項１に記載の画像読取装置。
【請求項３】
上記画像データ補正部は、上記乱反射光の光量に対する上記正反射光の光量の比率が大きいほど明るさが増すように上記原稿画像データに対して階調補正処理を施すことを特徴とする請求項１または２に記載の画像読取装置。
【請求項４】
上記反射比率算出部は、上記原稿画像データにおける画素毎または複数の画素からなる領域毎に上記正反射比率を算出し、
上記画像データ補正部は、上記原稿画像データにおける上記各画素または上記各領域を、当該各画素または当該各領域について算出された上記正反射比率に応じて補正することを特徴とする請求項１から３のいずれか１項に記載の画像読取装置。
【請求項５】
上記正反射比率の値と原稿の光沢度との対応関係を示す光沢度テーブルを記憶する光沢度テーブル記憶部と、
上記反射比率算出部が算出した上記正反射比率と上記テーブルとに基づいて上記原稿の光沢度を算出する光沢度算出部と、
上記光沢度算出部の算出した光沢度の大きさに応じて上記原稿を予め設定された複数の原稿種別のいずれかに分類する原稿種別分類部とを備え、
上記画像データ補正部は、上記原稿種別分類部の分類結果に応じて上記原稿画像データを補正することを特徴とする請求項１から４のいずれか１項に記載の画像読取装置。
【請求項６】
光源と、上記光源から出射されて原稿で反射した反射光を受光して電気信号に変換することにより上記原稿の画像データである原稿画像データを生成する受光部とを備えた画像読取装置であって、
上記受光部は、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成するようになっており、
上記受光部が受光した上記正反射光の光量と上記受光部が受光した上記乱反射光の光量との比率である正反射比率を算出する反射比率算出部と、
上記正反射比率、上記正反射比率に基づいて算出される上記原稿の光沢度、および上記正反射比率に基づいて分類される上記原稿の原稿種別を示す情報のうちのいずれか１つ以上を上記原稿画像データに付加した画像ファイルを生成する画像ファイル生成部とを備えていることを特徴とする画像読取装置。
【請求項７】
上記受光部は、
光を受光して電気信号に変換する受光素子と、
上記受光素子の上記原稿に対する相対位置、または上記原稿と上記受光素子との間に配置されて上記原稿からの反射光を上記受光素子へ導く光学素子の上記原稿に対する相対位置を上記正反射光を受光するための位置と上記乱反射光を受光するための位置とに移動させる受光位置変更部とを備え、
共通の上記受光素子を用いて上記正反射光と上記乱反射光とをそれぞれ受光することを特徴とする請求項１から６のいずれか１項に記載の画像読取装置。
【請求項８】
上記受光部は、上記正反射光を受光して電気信号に変換する第１受光素子と、上記乱反射光を受光して電気信号に変換する第２受光素子とを備えていることを特徴とする請求項１から６のいずれか１項に記載の画像読取装置。
【請求項９】
光源から出射される光で原稿を照射して上記原稿からの乱反射光を受光した結果に基づいて上記原稿画像データの生成および上記乱反射光の光量の算出を行う第１スキャン処理と、
光源から出射される光で原稿を照射して上記原稿からの正反射光を受光した結果に基づいて上記正反射光の光量を算出する第２スキャン処理とを互いに重畳しないタイミングで行うこと特徴とする請求項１から８のいずれか１項に記載の画像読取装置。
【請求項１０】
請求項１から５のいずれか１項に記載の画像読取装置と、
上記原稿画像データの出力処理を行う画像出力部とを備えていることを特徴とする画像データ出力処理装置。
【請求項１１】
光源と、上記光源から出射されて原稿で反射した反射光を受光して電気信号に変換することにより上記原稿の画像データである原稿画像データを生成する受光部とを備えた画像読取装置における画像読取方法であって、
上記受光部を用いて、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成する受光工程と、
上記受光部が受光した上記正反射光の光量と上記受光部が受光した上記乱反射光の光量との比率である正反射比率を算出する反射比率算出工程と、
上記正反射比率に応じて上記原稿画像データを補正する画像データ補正工程とを含むことを特徴とする画像読取方法。
【請求項１２】
光源と、上記光源から出射されて原稿で反射した反射光を受光して電気信号に変換することにより上記原稿の画像データである原稿画像データを生成する受光部とを備えた画像読取装置における画像読取方法であって、
上記受光部を用いて、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成する受光工程と、
上記受光部が受光した上記正反射光の光量と上記受光部が受光した上記乱反射光の光量との比率である正反射比率を算出する反射比率算出部と、
上記正反射比率、上記正反射比率に基づいて算出される上記原稿の光沢度、および上記正反射比率に基づいて分類される上記原稿の原稿種別を示す情報のうちのいずれか１つ以上を上記原稿画像データに付加した画像ファイルを生成する画像ファイル生成工程とを含むことを特徴とする画像読取方法。
【発明の詳細な説明】
【技術分野】
【０００１】
本発明は、原稿の画像を読み取って上記原稿の画像データである原稿画像データを生成する画像読取装置および画像読取方法に関するものである。
【背景技術】
【０００２】
従来から、原稿の画像を読み取って原稿画像データを生成する画像読取装置や、画像読取装置によって読み取られた原稿画像データに応じた画像のハードコピーを行う画像形成装置が普及している。
【０００３】
例えば、特許文献１には、原稿画像データをスキャナで取得するとともに、原稿の光沢度を光沢計で取得し、光沢度情報に基づいて画像形成条件（定着温度、定着速度、コーティング処理、ラッピング処理、紙種）を調整することが記載されている。
【先行技術文献】
【特許文献】
【０００４】
【特許文献１】特開２００２−２７８１７９号公報（平成１４年９月２７日公開）
【発明の概要】
【発明が解決しようとする課題】
【０００５】
しかしながら、特許文献１の技術では、原稿の光沢度を取得するための光沢計をスキャナに設ける必要があるので、スキャナの大型化および製造コストの増大を招いてしまうという問題がある。
【０００６】
また、特許文献１の技術では、原稿画像データに光沢計による測定結果に基づく光沢情報を付加することが記載されているものの、原稿画像データについては光沢度にかかわらずスキャナによって読み取って取得した画像データのままである。このため、原稿画像データをこの原稿画像データの読み取りを行った画像形成装置における印刷処理以外の用途に用いる場合（上記画像形成装置とは異なる他の画像形成装置で印刷する場合、あるいは表示装置に表示させる場合など）には、原稿画像データに付加されている光沢情報に応じた処理を行うことのできる特殊な装置を用いない限り、光沢計による測定結果を印刷結果や表示結果に反映させることができない。したがって、特許文献１の技術では、既存の画像形成装置や表示装置において、原稿の光沢度に応じた印刷や表示を行うことができない。
【０００７】
本発明は、上記の問題点に鑑みて成されたものであり、その目的は、原稿の光沢度に応じて原稿をより忠実に再現することのできる原稿画像データを生成することのできる画像読取装置を、装置サイズの大型化および装置コストの増大を伴わずに実現することにある。
【０００８】
また、本発明の他の目的は、原稿画像データと原稿の光沢度に関する情報とを含む原稿画像ファイルを生成する画像読取装置において、装置サイズの小型化および装置コストの低減を図ることにある。
【課題を解決するための手段】
【０００９】
本発明の第１の画像読取装置は、上記の課題を解決するために、光源と、上記光源から出射されて原稿で反射した反射光を受光して電気信号に変換することにより上記原稿の画像データである原稿画像データを生成する受光部とを備えた画像読取装置であって、上記受光部は、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成するようになっており、上記受光部が受光した上記正反射光の光量と上記受光部が受光した上記乱反射光の光量との比率である正反射比率を算出する反射比率算出部と、上記正反射比率に応じて上記原稿画像データを補正する画像データ補正部とを備えていることを特徴としている。
【００１０】
上記の構成によれば、受光部は、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成するようになっており、反射比率算出部が、上記受光部が受光した上記正反射光の光量と上記受光部が受光した上記乱反射光の光量との比率である正反射比率を算出する。そして、画像データ補正部が、上記正反射比率に応じて上記原稿画像データを補正する。
【００１１】
これにより、原稿からの反射光を受光して原稿画像データを生成するための受光部を用いて原稿の光沢度に対応するパラメータである正反射比率を得ることができる。したがって、原稿の光沢度を測定するための光沢計を別途設ける構成に比べて、装置サイズの小型化および装置コストの低減を図ることができる。また、正反射比率に応じて原稿画像データを補正することにより、原稿の光沢度に起因する画質の低下を抑制し、原稿を忠実に再現することのできる原稿画像データを生成することができる。
【００１２】
また、上記画像データ補正部は、上記乱反射光の光量に対する上記正反射光の光量の比率が大きいほど鮮やかさが増すように上記原稿画像データに対して色補正処理を行う構成としてもよい。
【００１３】
また、上記画像データ補正部は、上記乱反射光の光量に対する上記正反射光の光量の比率が大きいほど明るさが増すように上記原稿画像データに対して階調補正処理を施す構成としてもよい。
【００１４】
上記の各構成によれば、原稿の光沢度に起因する画質の低下をより適切に抑制し、原稿をより忠実に再現することのできる原稿画像データを生成することができる。
【００１５】
また、上記反射比率算出部は、上記原稿画像データにおける画素毎または複数の画素からなる領域毎に上記正反射比率を算出し、上記画像データ補正部は、上記原稿画像データにおける上記各画素または上記各領域を、当該各画素または当該各領域について算出された上記正反射比率に応じて補正する構成としてもよい。
【００１６】
上記の構成によれば、原稿上の領域に応じて光沢度が異なる場合であっても、原稿画像データにおける各領域を光沢度に応じて補正することができ、原稿をより忠実に再現することのできる原稿画像データを生成することができる。なお、原稿上の領域に応じて光沢度が異なる原稿の一例としては、例えば原稿上の一部の領域に印画紙が貼り付けられている原稿などが挙げられる。
【００１７】
また、上記正反射比率の値と原稿の光沢度との対応関係を示す光沢度テーブルを記憶する光沢度テーブル記憶部と、上記反射比率算出部が算出した上記正反射比率と上記テーブルとに基づいて上記原稿の光沢度を算出する光沢度算出部と、上記光沢度算出部の算出した光沢度の大きさに応じて上記原稿を予め設定された複数の原稿種別のいずれかに分類する原稿種別分類部とを備え、上記画像データ補正部は、上記原稿種別分類部の分類結果に応じて上記原稿画像データを補正する構成としてもよい。
【００１８】
上記の構成によれば、正反射比率に基づいて原稿の光沢度を算出し、算出した光沢度に対応する原稿種別に応じて原稿画像データを補正することができる。
【００１９】
本発明の第２の画像読取装置は、光源と、上記光源から出射されて原稿で反射した反射光を受光して電気信号に変換することにより上記原稿の画像データである原稿画像データを生成する受光部とを備えた画像読取装置であって、上記受光部は、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成するようになっており、上記受光部が受光した上記正反射光の光量と上記受光部が受光した上記乱反射光の光量との比率である正反射比率を算出する反射比率算出部と、上記正反射比率、上記正反射比率に基づいて算出される上記原稿の光沢度、および上記正反射比率に基づいて分類される上記原稿の原稿種別を示す情報のうちのいずれか１つ以上を上記原稿画像データに付加した画像ファイルを生成する画像ファイル生成部とを備えていることを特徴としている。
【００２０】
上記の構成によれば、受光部は、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成するようになっており、反射比率算出部が、上記受光部が受光した上記正反射光の光量と上記受光部が受光した上記乱反射光の光量との比率である正反射比率を算出する。そして、画像ファイル生成部が、上記正反射比率、上記正反射比率に基づいて算出される上記原稿の光沢度、および上記正反射比率に基づいて分類される上記原稿の原稿種別を示す情報のうちのいずれか１つ以上を上記原稿画像データに付加した画像ファイルを生成する。
【００２１】
これにより、原稿からの反射光を受光して原稿画像データを生成するための受光部を用いて原稿の光沢度に対応するパラメータである正反射比率を得ることができる。したがって、原稿の光沢度を測定するための光沢計を別途設ける構成に比べて、装置サイズの小型化および装置コストの低減を図ることができる。
【００２２】
また、上記受光部は、光を受光して電気信号に変換する受光素子と、上記受光素子の上記原稿に対する相対位置、または上記原稿と上記受光素子との間に配置されて上記原稿からの反射光を上記受光素子へ導く光学素子の上記原稿に対する相対位置を上記正反射光を受光するための位置と上記乱反射光を受光するための位置とに移動させる受光位置変更部とを備え、共通の上記受光素子を用いて上記正反射光と上記乱反射光とをそれぞれ受光する構成としてもよい。
【００２３】
上記の構成によれば、共通の受光素子を用いて原稿からの正反射光と乱反射光とをそれぞれ受光できるので、装置サイズをより小さくするとともに、装置コストをより低減することができる。
【００２４】
また、上記受光部は、上記正反射光を受光して電気信号に変換する第１受光素子と、上記乱反射光を受光して電気信号に変換する第２受光素子とを備えている構成としてもよい。
【００２５】
上記の構成によれば、正反射光の受光時と乱反射光の受光時とで受光素子を移動させる必要がないので、装置構成を簡略化することができる。また、乱反射光を受光する第２受光素子については原稿画像データを取得するための受光素子を共用することができるので、光沢計を別途備える構成に比べて装置構成の小型化および低コスト化を図ることができる。
【００２６】
また、光源から出射される光で原稿を照射して上記原稿からの乱反射光を受光した結果に基づいて上記原稿画像データの生成および上記乱反射光の光量の算出を行う第１スキャン処理と、光源から出射される光で原稿を照射して上記原稿からの正反射光を受光した結果に基づいて上記正反射光の光量を算出する第２スキャン処理とを互いに重畳しないタイミングで行う構成としてもよい。
【００２７】
上記の構成によれば、第１スキャン処理において原稿画像データおよび乱反射光の光量を取得し、第２スキャン処理において正反射光の光量を取得することができる。したがって、正反射光の光量および乱反射光の光量に基づいて正反射比率を算出し、それに基づいて原稿画像データを補正したり、正反射比率、正反射比率に基づいて算出される原稿の光沢度、および正反射比率に基づいて分類される原稿の原稿種別を示す情報のうちのいずれか１つ以上を原稿画像データに付加した画像ファイルしたりすることができる。
【００２８】
本発明の画像データ出力装置は、上記したいずれかの画像読取装置と、上記原稿画像データの出力処理を行う画像出力部とを備えている。
【００２９】
上記の構成によれば、原稿の光沢度を測定するための光沢計を別途設ける構成に比べて、装置サイズの小型化および装置コストの低減を図ることができる。また、原稿の光沢度に起因する画質の低下を抑制し、原稿をより忠実に再現することのできる原稿画像データを生成して出力処理することができる。
【００３０】
本発明の第１の画像読取方法は、光源と、上記光源から出射されて原稿で反射した反射光を受光して電気信号に変換することにより上記原稿の画像データである原稿画像データを生成する受光部とを備えた画像読取装置における画像読取方法であって、上記受光部を用いて、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成する受光工程と、上記受光部が受光した上記正反射光の光量と上記受光部が受光した上記乱反射光の光量との比率である正反射比率を算出する反射比率算出工程と、上記正反射比率に応じて上記原稿画像データを補正する画像データ補正工程とを含むことを特徴としている。
【００３１】
上記の方法によれば、原稿からの反射光を受光して原稿画像データを生成するための受光部を用いて原稿の光沢度に対応するパラメータである正反射比率を得ることができる。したがって、原稿の光沢度を測定するための光沢計を別途設ける構成に比べて、装置サイズの小型化および装置コストの低減を図ることができる。また、正反射比率に応じて原稿画像データを補正することにより、原稿の光沢度に起因する画質の低下を抑制し、原稿をより忠実に再現することのできる原稿画像データを生成することができる。
【００３２】
本発明の第２の画像読取方法は、光源と、上記光源から出射されて原稿で反射した反射光を受光して電気信号に変換することにより上記原稿の画像データである原稿画像データを生成する受光部とを備えた画像読取装置における画像読取方法であって、上記受光部を用いて、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成する受光工程と、上記受光部が受光した上記正反射光の光量と上記受光部が受光した上記乱反射光の光量との比率である正反射比率を算出する反射比率算出部と、上記正反射比率、上記正反射比率に基づいて算出される上記原稿の光沢度、および上記正反射比率に基づいて分類される上記原稿の原稿種別を示す情報のうちのいずれか１つ以上を上記原稿画像データに付加した画像ファイルを生成する画像ファイル生成工程とを含むことを特徴としている。
【００３３】
上記の方法によれば、原稿からの反射光を受光して原稿画像データを生成するための受光部を用いて原稿の光沢度に対応するパラメータである正反射比率を得ることができる。したがって、原稿の光沢度を測定するための光沢計を別途設ける構成に比べて、装置サイズの小型化および装置コストの低減を図ることができる。
【発明の効果】
【００３４】
本発明の第１の画像読取装置は、上記受光部は、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成するようになっており、上記受光部が受光した上記正反射光の光量と上記受光部が受光した上記乱反射光の光量との比率である正反射比率を算出する反射比率算出部と、上記正反射比率に応じて上記原稿画像データを補正する画像データ補正部とを備えている。
【００３５】
また、本発明の第１の画像読取方法は、上記受光部を用いて、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成する受光工程と、上記受光部が受光した上記正反射光の光量と上記受光部が受光した上記乱反射光の光量との比率である正反射比率を算出する反射比率算出工程と、上記正反射比率に応じて上記原稿画像データを補正する画像データ補正工程とを含む。
【００３６】
それゆえ、本発明の第１の画像読取装置および第１の画像読取方法によれば、原稿の光沢度を測定するための光沢計を別途設ける構成に比べて、装置サイズの小型化および装置コストの低減を図ることができる。また、原稿の光沢度に起因する画質の低下を抑制し、原稿をより忠実に再現することのできる原稿画像データを生成することができる。
【００３７】
本発明の第２の画像読取装置は、上記受光部は、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成するようになっており、上記受光部が受光した上記正反射光の光量と上記受光部が受光した上記乱反射光の光量との比率である正反射比率を算出する反射比率算出部と、上記正反射比率、上記正反射比率に基づいて算出される上記原稿の光沢度、および上記正反射比率に基づいて分類される上記原稿の原稿種別を示す情報のうちのいずれか１つ以上を上記原稿画像データに付加した画像ファイルを生成する画像ファイル生成部とを備えている。
【００３８】
また、本発明の第２の画像読取方法は、上記受光部を用いて、上記光源から出射されて上記原稿で正反射した光である正反射光と上記光源から出射されて上記原稿で乱反射した乱反射光とをそれぞれ受光し、受光した上記乱反射光を電気信号に変換することで上記原稿画像データを生成する受光工程と、上記受光部が受光した上記正反射光の光量と上記受光部が受光した上記乱反射光の光量との比率である正反射比率を算出する反射比率算出部と、上記正反射比率、上記正反射比率に基づいて算出される上記原稿の光沢度、および上記正反射比率に基づいて分類される上記原稿の原稿種別を示す情報のうちのいずれか１つ以上を上記原稿画像データに付加した画像ファイルを生成する画像ファイル生成工程とを含む。
【００３９】
それよえ、本発明の第２の画像読取装置および第２の画像読取方法によれば、原稿の光沢度を測定するための光沢計を別途設ける構成に比べて、装置サイズの小型化および装置コストの低減を図ることができる。
【図面の簡単な説明】
【００４０】
【図１】本発明の一実施形態にかかる画像形成装置における原稿の読取処理の流れを示すフロー図である。
【図２】本発明の一実施形態にかかる画像形成装置の構成を示す模式図である。
【図３】図２に示した画像形成装置のブロック図である。
【図４】（ａ）〜（ｃ）は、図２に示した画像形成装置に備えられる画像入力装置の構成を示す模式図である。
【図５】図４に示した画像入力装置における正反射光の受光時および乱反射光の受光時の構成を示す模式図である。
【図６】図２に示した画像形成装置の変形例を示すブロック図である。
【図７】図２に示した画像形成装置の変形例を示すブロック図である。
【発明を実施するための形態】
【００４１】
本発明の一実施形態について説明する。
【００４２】
（１−１．画像形成装置１０の全体構成）
図２は本実施形態にかかる画像形成装置１０の概略構成を示す模式図であり、図３は画像形成装置（画像読取装置、画像データ出力処理装置）１０のブロック図である。
【００４３】
図２および図３に示すように、画像形成装置１０は、画像入力装置１００、画像処理装置２００、画像出力装置（画像出力部）３００、制御部４００、および操作パネル５００を備えている。なお、図３に示したように、必要に応じて画像形成装置１０に周辺装置６００を装着してもよい。周辺装置６００としては、例えば、画像出力装置３００に供給する記録材を収容する給紙装置、画像出力装置３００によって画像形成された記録材に対してステープル処理、仕分け処理、パンチ穴開け処理、製本処理等の後処理を施す後処理装置などが挙げられる。
【００４４】
制御部４００は、演算部４０１と記憶部４０２とを備えており、画像形成装置１０に備えられる各装置、すなわち画像入力装置１００、画像処理装置２００、画像出力装置３００、および操作パネル５００に備えられる各部の動作を制御する。なお、画像形成装置１０に周辺装置６００が装着されている場合には、制御部４００は周辺装置６００に備えられる周辺装置制御部６０１に制御信号を送り、周辺装置６００の動作を制御する。
【００４５】
記憶部４０２は、操作パネル５００を介してユーザーから入力される各種コマンドや設定値、画像形成装置１０の内部に配置される各種センサの検知結果、画像形成装置１０に設けられる各装置の動作を制御するための各種設定値およびデータテーブル、各種制御を実行するためのプログラムなどを記憶するものである。記憶部４０２としては、この分野で常用される各種記憶手段、例えば、リードオンリーメモリ（ＲＯＭ）、ランダムアクセスメモリ（ＲＡＭ）、ハードディスクドライブ（ＨＤＤ）などを用いることができる。
【００４６】
演算部４０１は、記憶部４０２に記憶されている各種情報および各種制御を実施するためのプログラムを取り出して演算処理や判定処理を行い、これらの処理結果に基づいて画像形成装置１０が備える各装置に制御信号を送って各装置の動作を制御する。なお、演算部４０１は、例えば、中央演算処理装置（ＣＰＵ：Central Processing Unit）を備えるマイクロコンピュータ、マイクロプロセッサなどによって実現される処理回路である。
【００４７】
画像入力装置１００は、図２に示したように、画像出力装置３００が収容される筐体の上面に備えられており、原稿を読み取ってこの原稿の画像データを取得するものである。画像入力装置１００にて読み取られた原稿の画像データは、画像処理装置２００へと送られて所定の画像処理が施される。画像入力装置１００の詳細については後述する。
【００４８】
画像処理装置２００は、画像出力装置３００が原稿を読み取って取得した画像データに対して、用紙の光沢度に応じた画像処理、および画像出力装置３００における印刷処理に適した画像データにするための画像処理を施すものである。また、図３に示したように、画像処置装置２００は、Ａ／Ｄ変換部２０１、シェーディング補正部２０２、領域分離処理部２０３、反射比率算出部２０４、入力階調補正部（画像データ補正部）２０５、色補正部（画像データ補正部）２０６、空間フィルタ処理部２０７、拡大縮小処理部２０８、および中間調処理部２０９を備えている。
【００４９】
Ａ／Ｄ変換部２０１は、画像入力装置１００から入力されたＲＧＢのアナログ信号をデジタル信号に変換してシェーディング補正部２０２に出力する。
【００５０】
シェーディング補正部２０２は、Ａ／Ｄ変換部２０１から送られてきた原稿画像データに対して、画像入力装置１００の照明系、結像系、撮像系で生じる各種の歪みを取り除く処理を施し、領域分離処理部２０３に出力する。
【００５１】
領域分離処理部２０３は、シェーディング補正部２０２から入力される原稿画像データ中の各画素を黒文字領域、色文字領域、網点領域、印画紙写真（連続階調領域）領域の何れかに分離する。また、領域分離処理部２０３は、分離結果に基づき、画素がどの領域に属しているかを示す領域識別信号を、空間フィルタ処理部２０７および中間調処理部２０９に出力するとともに、シェーディング補正部２０２から入力された原稿画像データをそのまま反射比率算出部２０４に出力する。空間フィルタ処理部２０７および中間調処理部２０９では、領域分離処理部２０３から入力される領域識別信号に基づいて各領域に適した処理が行われる。なお、領域分離処理の方法は特に限定されるものではなく、従来から公知の種々の方法を用いることができる。
【００５２】
反射比率算出部２０４は、画像入力装置１００において光源から照射されて原稿によって乱反射された光の受光量、原稿によって正反射（鏡面反射）された光の受光量、およびこれら各受光量の比率である正反射比率（正反射比率＝正反射光量／乱反射光量）を画素毎あるいは複数の画素からなる画素群毎に算出し、入力階調補正部２０５および色補正部２０６に伝達する。例えば、反射比率算出部２０４が、領域分離処理部２０３によって分離された領域毎に各領域の正反射比率を算出するようにしてもよい。また、反射比率算出部２０４は、領域分離処理部２０３から入力された画像データのうち、乱反射光の受光結果に対応する画像データを入力階調補正部２０５にそのまま出力する。
【００５３】
入力階調補正部２０５は、反射比率算出部２０４から入力された画像データに対して、カラーバランスを整えると同時に、濃度信号など画像処理装置２００において採用されている画像処理システムの扱い易い信号に変換する処理を施す。また、下地濃度の除去やコントラストなどの画質調整処理を行う。また、入力階調補正部２０５は、反射比率算出部２０４によって算出された正反射率の値が大きい画素あるいは画素群ほど、すなわち原稿の光沢度が高い画素あるいは画素群ほど、明るい画像になるように反射比率算出部２０４から入力された原稿画像データの階調を補正する。また、入力階調補正部２０５は、上記の各処理を施した原稿画像データを色補正部２０６に出力する。
【００５４】
色補正部２０６は、入力階調補正部２０５から入力されたＲＧＢ信号からなる原稿画像データをＣＭＹＫ（Ｃ：シアン、Ｍ：マゼンタ、Ｙ：イエロー、Ｋ：ブラック）信号からなる原稿画像データに変換するとともに、色再現性を高める処理を行う。また、色補正部２０６は、反射比率算出部２０４によって算出された正反射率の値が大きい画素あるいは画素群ほど、すなわち原稿の光沢度が高い画素あるいは画素群ほど、鮮やかな画像になるように入力階調補正部２０５から入力された原稿画像データの色を補正する。また、色補正部２０６は、色補正後の原稿画像データを空間フィルタ処理部２０７に出力する。
【００５５】
空間フィルタ処理部２０７は、色補正部２０６から入力されるＣＭＹＫ信号からなる原稿画像データに対して、領域識別信号を基にデジタルフィルタによる空間フィルタ処理（強調処理および／または平滑化処理）を行い、空間周波数特性を補正する。これにより、出力画像のぼやけや粒状性劣化を軽減することができる。また、空間フィルタ処理部２０７は、空間フィルタ処理を施したＣＭＹＫ信号からなる原稿画像データを拡大縮小処理部２０８に出力する。
【００５６】
拡大縮小処理部２０８は、空間フィルタ処理部２０７から入力されるＣＭＹＫ信号からなる原稿画像データの画像サイズを制御部４００からの指示に応じたサイズに拡大あるいは縮小し、中間調処理部２０９に出力する。
【００５７】
中間調処理部２０９は、拡大縮小処理部２０８から入力される原稿画像データに対して、この画像データに応じた画像を画像出力装置３００において用紙等の記録材に出力するための出力γ補正処理、および画像データを画素に分離してそれぞれの階調を再現できるように処理する階調再現処理（中間調生成処理）を施す。
【００５８】
画像処理装置２００において上述した各処理が施された画像データは、一旦、図示しないメモリに記憶されたのち、所定のタイミングで読み出されて画像出力装置３００に出力される。
【００５９】
なお、上記の説明では、Ａ／Ｄ変換部２０１、シェーディング補正部２０２、領域分離処理部２０３、反射比率算出部２０４、入力階調補正部２０５、色補正部２０６、空間フィルタ処理部２０７、拡大縮小処理部２０８、および中間調処理部２０９が原稿画像データを次段の処理部に順次転送していくものとしている。しかしながら、これに限らず、必要に応じて、原稿画像データを図示しないメモリに一旦格納し、所定のタイミングで読み出して次段の処理部に入力するようにしてもよい。領域識別信号および正反射比率を示す信号についても同様に、メモリに一旦格納し、所定のタイミングで読み出されて所定の処理部に入力されるようにしてもよい。上記メモリとしては、例えばランダムアクセスメモリ（ＲＡＭ）やハードディスクドライブ（ＨＤＤ）などを用いることができる。
【００６０】
画像出力装置３００は、画像処理装置２００から入力される画像データに応じた画像を記録材上に形成（印刷）する。
【００６１】
なお、画像出力装置３００の構成は特に限定されるものではないが、本実施形態では、電子写真方式のものを採用している。具体的には、画像出力装置３００は、図２に示したように、給紙トレイ８１、手差し給紙トレイ８２、ピックアップローラ１１ａ，１１ｂ、搬送ローラ１２ａ，１２ｂ，１２ｃ，１２ｄ、画像形成ユニット２０ｃ，２０ｍ，２０ｙ，２０ｋ、中間転写装置６、２次転写ローラ１４、および定着装置７を備えている。
【００６２】
記録材搬送処理部３０１は、ピックアップローラ１１ａ，１１ｂ、搬送ローラ１２ａ，１２ｂ，１２ｃ，１２ｄ等の動作を制御し、給紙トレイ８１または手差し給紙トレイ８２に載置された記録材、あるいは定着装置７による定着処理が行われた後、表裏を反転させた記録材を２次転写ローラ１４と中間転写装置６との対向部に搬送し、この対向部でトナー像が転写された記録材を定着装置７に搬送し、定着処理後の記録材を排紙トレイ８３に排出させる。
【００６３】
画像形成処理部３０２は、画像形成ユニット２０ｃ，２０ｍ，２０ｙ，２０ｋ、中間転写装置６、および２次転写ローラ１４の動作を制御し、画像データに応じたトナー像を形成して記録材に転写させる。
【００６４】
画像形成ユニット２０ｃ，２０ｍ，２０ｙ，２０ｋは、画像データに応じて、それぞれシアン、マゼンタ、イエロー、ブラックのトナー像を生成するものであり、これら各画像形成ユニットは使用するトナーの色が異なる以外は略同様の構成を有している。すなわち、各画像形成ユニットは、感光体ドラム３と、感光体ドラム３の表面を均一に帯電する帯電器５と、帯電された感光体ドラム３の表面に当該画像形成ユニットに対応する色の画像データに応じた光を照射して感光体ドラム３の表面に静電潜像を形成する光走査ユニット１と、感光体ドラム３の表面に形成された静電潜像を当該画像形成ユニットに対応する色のトナーを用いて現像する現像装置２と、感光体ドラム３から後述する中間転写ベルト９１に転写されずに感光体ドラム３の表面に残留したトナーを除去するクリーニング装置４とを備えている。
【００６５】
中間転写装置６は、支持ローラ９２，９３と、これら各支持ローラに懸架されて回転駆動される中間転写ベルト９１と、中間転写ベルト９１を介して各感光体ドラム３にそれぞれ対向するように配置された転写ローラ９４とを備えている。各転写ローラ９４には、感光体ドラム３の表面に形成されたトナー像の帯電極性とは逆極性の電圧が印加され、それによって感光体ドラム３の表面に形成された各色のトナー像が中間転写ベルト９１上に重ね合わせて転写されるようになっている。また、中間転写ベルト９１上に転写されたトナー像は、この中間転写ベルト９１の回転によって２次転写ローラ１４との対向部に搬送される。
【００６６】
２次転写ローラ１４と中間転写ベルト９１との間には、中間転写ベルト９１上のトナー像が２次転写ローラ１４との対向部に搬送されるのに同期して、トナー像の転写対象となる記録材が搬送される。つまり、２次転写ローラ１４と中間転写ベルト９１との間には、（１）給紙トレイ８１からピックアップローラ１１ａによって抽出されて搬送ローラ１２ａ、レジストローラ１３等を介して搬送された記録材、（２）手差し給紙トレイ８２からピックアップローラ１１ｂによって抽出されて搬送ローラ１２ａ、レジストローラ１３等を介して搬送された記録材、あるいは（３）後述する定着装置７による定着処理が行われた後、搬送ローラ１２ｄによるスイッチバックによって表裏を反転され、搬送ローラ１２ｃ，１２ｄ、レジストローラ１３等を介して再搬送された記録材が搬送される。また、２次転写ローラ１４にはトナーの帯電極性とは逆極性の高電圧が印加され、それによって中間転写ベルト９１上のトナー像が記録材に２次転写される。
【００６７】
定着処理部３０３は、定着装置７の動作を制御して記録材上に転写されたトナー像をこの記録材に定着させる。つまり、２次転写ローラ１４と中間転写ベルト９１との対向部においてトナー像が転写された記録材は定着装置７に搬送され、定着装置７によってトナー像を記録材に定着させる定着処理が行われる。
【００６８】
なお、画像出力装置３００の構成は電子写真方式の画像形成装置に限るものではなく、例えばインクジェット方式の画像形成装置などを用いてもよい。
【００６９】
操作パネル５００は、ユーザーからの指示入力を受け付けて制御部４００に伝達する入力部５０２と、ユーザーに呈示する各種情報を表示するための表示部５０１とを備えている。表示部５０１は、例えば液晶ディスプレイなどによって構成され、入力部５０２は例えば各種設定ボタンなどよって構成される。なお、表示部５０１の機能と入力部５０２の機能とを一体化させたタッチパネルを操作パネル５００に備えてもよい。
【００７０】
（１−２．画像入力装置１００の構成）
次に、画像入力装置１００の構成について、図３および図４（ａ）〜図４（ｃ）を参照しながら説明する。
【００７１】
図４（ａ）は画像入力装置１００の断面図である。この図に示すように、画像入力装置１００は、透明ガラスからなる原稿台としての原稿載置台５１と、この原稿載置台５１上へ自動的に原稿を供給搬送するための原稿カバーとしてのＤＳＰＦ（Duplex Single Pass Feeder；両面対応自動原稿送り装置）５２と、原稿載置台５１上に載置された原稿の画像を走査して読み取るためのスキャナユニット（原稿画像読み取りユニット）５０とを備えている。また、図３に示したように、画像入力装置１００は、ＤＳＰＦ５２の動作を制御する原稿搬送制御部１０１と、スキャナユニット５０の動作を制御するスキャナ制御部１０２とを備えている。また、スキャナ制御部１０２は、光源制御部１０３、走査制御部１０４、受光制御部１０５、および受光位置制御部１０６を備えている。
【００７２】
ＤＳＰＦ５２は、原稿トレイ（図示せず）を備えており、この原稿トレイ上にセットされた複数枚の原稿を１枚ずつ自動的に原稿載置台５１上へ給送する装置である。ＤＳＰＦ５２は、ユーザーの選択に応じて原稿の片面又は両面をスキャナユニット５０に読み取らせるように、片面原稿のための搬送経路、両面原稿のための搬送経路、搬送経路切り替え手段、および各部を通過する原稿の状態を把握し管理するセンサ群を備えている。そして、制御部４００が、記憶部４０２に記憶している各種プログラムや制御情報、操作パネル５００を介して入力されるユーザーからの指示、および上記センサ群の検知結果等に基づいて原稿搬送制御部１０１に制御命令を送り、原稿搬送制御部１０１がこの制御命令に基づいてＤＳＰＦ５２の各部の動作を制御するようになっている。ＤＳＰＦ５２については、従来から多くの出願、商品化がなされているので、これ以上の説明は省略する。
【００７３】
スキャナユニット（受光部）５０は、原稿面上を露光する光源（ランプリフレクターアセンブリ）６２と、原稿からの反射光像をＣＣＤ素子（受光素子、光電変換素子）６４に導くための原稿からの反射光を反射する第１反射ミラー（光学素子）６３ａおよび第４反射ミラー６３ｅを搭載してなる第１走査ユニット６０ａと、第１反射ミラー６３ａからの反射光像を上記ＣＣＤ素子６４に導くための第２反射ミラー６３ｂおよび第３反射ミラー６３ｃを搭載してなる第２走査ユニット６０ｂと、原稿からの反射光像を上述した各反射ミラーを介して電気的画像信号に変換するＣＣＤ素子６４上に結像させるための光学レンズ６３ｄと、原稿からの反射光像を電気的画像信号に変換する上述したＣＣＤ素子６４とを備えている。
【００７４】
第１反射ミラー６３ａは、図示しないギアやモーター等からなる駆動手段（受光位置変更部）によって原稿からの乱反射光を読み取るための第１位置Ａと原稿からの正反射光（鏡面反射光）を読み取るための第２位置Ｂとに移動可能になっている。また、第４反射ミラー６３ｅは原稿からの正反射光の光路に配置されており、これによって原稿からの正反射光が第４反射ミラー６３ｅによって反射されて第２位置Ｂに配置された第１反射ミラー６３ａに入斜し、第１反射ミラー６３ａ、第２反射ミラー６３ｂ、第３反射ミラー６３ｃ、光学レンズ６３ｄを介してＣＣＤ素子６４に受光されるようになっている。また、原稿からの乱反射光の一部は第１位置Ａに配置された第１反射ミラー６３ａに入斜し、第１反射ミラー６３ａ、第２反射ミラー６３ｂ、第３反射ミラー６３ｃ、光学レンズ６３ｄを介してＣＣＤ素子６４に受光されるようになっている。
【００７５】
なお、スキャナ制御部１０２に備えられる光源制御部１０３が光源６２のオン／オフを制御し、走査制御部１０４が第１走査ユニット６０ａおよび第２走査ユニット６０ｂの原稿載置台５１に沿った方向への移動（走行）を制御し、受光制御部１０５がＣＣＤ素子６４の動作を制御し、受光位置制御部（受光位置変更部）１０６が上記駆動手段の動作を制御するようになっている。
【００７６】
画像入力装置１００におけるＤＳＰＦ５２は、一端側に備えられるヒンジ部材（図示せず）により原稿載置台５１に対して開閉できる構造になっている。そして、原稿載置台５１に載置された原稿を読み取る場合、ユーザーが、ＤＳＰＦ５２を開いて原稿載置台５１上に読取対象とする原稿を載置してＤＳＰＦ５２を閉じ、スキャナユニット５０によってこの原稿を読み取るようになっている。なお、画像入力装置１００はＤＳＰＦ５２の開閉を検知する開閉検知センサ（図示せず）を備えている。
【００７７】
また、画像入力装置１００は、原稿載置台５１に載置された原稿を読み取る場合、原稿載置台５１の下面に沿ってスキャナユニット５０を移動させて原稿画像を読み取るように構成されている。具体的には、走査制御部１０４が制御部４００からの指示に応じて、第１走査ユニット６０ａを原稿載置台５１に沿って水平方向に一定速度Ｖで走行させ、第２走査ユニット６０ｂをその速度Ｖに対してＶ／２の速度で同一方向に走行させる。これにより、原稿載置台５１上に載置された原稿の画像を１ライン毎に順次ＣＣＤ素子６４へと結像させて画像を読み取ることができる。
【００７８】
図４（ｂ）は画像入力装置１００の断面図である。この図に示すように、画像入力装置１００は、原稿載置台５１に対して上下の両方に光学系を備えている。すなわち、画像入力装置１００は、原稿載置台５１の下方に備えられる上述したスキャナユニット（第１読取光学部）５０と、原稿載置台５１の上方に備えられる第２読取光学部５３とを備えている。第２読取光学部５３はＤＳＰＦ５２に固定されており、原稿載置台５１に対する相対位置は一定である。なお、図４（ｂ）では、説明の便宜上、スキャナユニット５０のうち第１走査ユニット６０ａのみを記載している。
【００７９】
画像入力装置１００において両面自動原稿読み取りを行う場合には、スキャナユニット５０を図４（ｂ）に示した位置（第１原稿読取位置）に移動させ、ＤＳＰＦ５２によって搬送される原稿の両面をスキャナユニット５０および第２読取光学部５３によって同時に読み取るようになっている。
【００８０】
より詳細に説明すると、原稿を両面自動読み取りするときには、まず、ＤＳＰＦ５２の原稿載置トレイ５４に載置された原稿を原稿載置検知センサ５５が検知し、それに応じて画像入力装置１００の原稿搬送制御部１０１が原稿ストッパー５６を開放させ、給紙ローラ５７、用紙ピックアップ爪５８、およびレジストローラ５９を駆動させて原稿を第１原稿読取位置まで搬送させる。これにより、原稿はスキャナユニット５０の第１走査ユニット６０ａと第２読取光学部５３との間を通過し、スキャナ制御部１０２がＤＳＰＦ５２による原稿搬送に応じたタイミングでスキャナユニット５０および第２読取光学部５３の動作を制御することにより、原稿のおもて面および裏面が読み取られる。その後、読み取られた原稿は排紙トレイ７４に排出される。原稿を片面自動読み取りする場合の動作は第２読取光学部５３による原稿の裏面の読み取りを行わない以外は両面自動読取り時の動作と同様である。
【００８１】
また、ＤＳＰＦ５２では、原稿の搬送方向に沿って、レジストローラ５９の手前に備えられたレジストローラ前センサ７１、第２読取光学部５３の手前に備えられた原稿先端検知センサ７２、およびスキャナユニット５０の後に備えられた出紙センサ７３を設けている。
【００８２】
また、ＤＳＰＦ５２には、図４（ｃ）に示すように、シェーディング補正のための基準となる白板７５，７６が設けられている。図４（ｃ）はシェーディング補正時の画像入力装置１００の動作を示す説明図である。
【００８３】
白板７５は、原稿載置台５１の第１原稿読取位置におけるガラス下面に設けられている。また、白板７６は、原稿載置台５１の第２原稿読取位置におけるガラス面の上方に設けられている。なお、スキャナユニット５０は、シェーディング補正するときには第２原稿読取位置に移動して白板７６を読み取るようになっている。スキャナユニット５０によって白板７６を読み取った結果、および第２読取光学部５３によって白板７５を読み取った結果は画像処理装置２００に送られ、後述するシェーディング補正部２０２におけるシェーディング補正処理に用いられる。
【００８４】
図５は、光源６２、原稿Ｐ、原稿載置台５１、第１反射ミラー６３ａ、および第４反射ミラー６３ｅの位置関係を示す模式図である。この図に示すように、本実施形態では、光源６２から出射された光が原稿載置台５１上に載置された原稿Ｐに対して入射角４５°で原稿に照射される。そして、原稿からの乱反射光を受光する場合には、原稿から出射角９０°で反射された乱反射光が第１位置Ａに配置された第１反射ミラー６３ａに入射して第２反射ミラー６３ｂに向けて反射され、第２反射ミラー６３ｂ、第３反射ミラー６３ｃ、光学レンズ６３ｄを介してＣＣＤ素子６４に受光されるようになっている。また、原稿からの正反射光を受光する場合には、原稿から出射角４５°で反射された正反射光が第４反射ミラー６３ｅに入射して第２位置Ｂに配置された第１反射ミラー６３ａへ向けて反射され、第１反射ミラー６３ａによって第２反射ミラー６３ｂに向けて反射され、第２反射ミラー６３ｂ、第３反射ミラー６３ｃ、光学レンズ６３ｄを介してＣＣＤ素子６４に受光されるようになっている。
【００８５】
なお、光源６２からの照射光の原稿Ｐに対する入射角は４５°に限るものではなく、適宜変更してもよい。また、乱反射光の受光位置についても、出射角９０°の位置に限るものではなく、適宜変更してもよい。
【００８６】
また、正反射光を受光する際の光源６２からの照射光の原稿Ｐに対する入射角を複数通りに切り替えて複数の入射角（例えば１５°、３０°、４５°、６０°、７５°のうちの２つ以上の角度）に対応する正反射光をそれぞれ受光し、それら各正反射光の受光結果に基づいてＢＲＤＦ（双方向反射率分布関数）を算出し、このＢＲＤＦに基づいて原稿画像データを補正するようにしてもよい。これにより、原稿を観察する視点方向を変えた場合の光沢具合を擬似的に再現するように原稿画像データを補正することができる。また、受光する乱反射光の原稿からの出射角についても９０°に限るものではなく、適宜変更してもよい。
【００８７】
（１−３．画像読取時の処理）
次に、画像入力装置１００および画像処理装置２００における画像読取時の処理の流れについて、図１に示すフロー図を参照しながら説明する。なお、ここでは、原稿載置台５１上に載置された原稿を読み取る場合の処理について説明する。
【００８８】
まず、制御部４００は、スキャナ制御部１０２を制御して原稿からの乱反射光を受光させる（Ｓ１）。具体的には、受光位置制御部１０６が制御部４００からの指示に応じて第１反射ミラー６３ａの駆動手段を制御し、第１反射ミラー６３ａを第１位置Ａに配置させる。また、走査制御部１０４が第１走査ユニット６０ａおよび第２走査ユニット６０ｂを制御して原稿載置台５１に対して平行な方向に走行させ、光源制御部１０３が光源６２を制御して原稿を照射させ、受光制御部１０５がＣＣＤ素子６４を制御して原稿載置台５１上に載置された原稿からの乱反射光を１ライン毎に順次受光させて電気信号（Ｒ，Ｇ，Ｂのアナログ信号（画像データ））に変換させ、画像処理装置２００に出力させる。
【００８９】
次に、制御部４００は、Ａ／Ｄ変換部２０１に上記電気信号をＲ，Ｇ，Ｂのデジタル信号（画像データ）に変換させ（Ｓ２）、シェーディング補正部２０２にシェーディング補正を行わせ（Ｓ３）、領域分離処理部２０３に領域分離処理を行わせる（Ｓ４）。なお、領域分離処理部２０３は、領域分離処理の結果を示す領域識別信号を空間フィルタ処理部２０７および中間調処理部２０９に出力するとともに、シェーディング補正部２０２から入力されたＲ，Ｇ，Ｂのデジタル信号を反射比率算出部２０４に出力する。
【００９０】
次に、制御部４００は、反射比率算出部２０４を制御し、上記のＲ，Ｇ，Ｂのデジタル信号に基づいてＣＣＤ素子６４が受光した乱反射光の光量を算出させる（Ｓ５）。反射比率算出部２０４は、算出した乱反射光の考慮を図示しないメモリに一旦保存するとともに、上記のＲ，Ｇ，Ｂのデジタル信号をそのまま入力階調補正部２０５に出力する。
【００９１】
次に、制御部４００は、スキャナ制御部１０２を制御して原稿からの正反射光を受光させる（Ｓ６）。具体的には、受光位置制御部１０６が制御部４００からの指示に応じて第１反射ミラー６３ａの駆動手段を制御し、第１反射ミラー６３ａを第２位置Ｂに配置させる。また、走査制御部１０４が第１走査ユニット６０ａおよび第２走査ユニット６０ｂを制御して原稿載置台５１に対して平行な方向に走行させ、光源制御部１０３が光源６２を制御して原稿を照射させ、受光制御部１０５がＣＣＤ素子６４を制御して原稿載置台５１上に載置された原稿からの正反射光を１ライン毎に順次受光させて電気信号（Ｒ，Ｇ，Ｂのアナログ信号（画像データ））に変換させ、画像処理装置２００に出力させる。
【００９２】
次に、制御部４００は、Ａ／Ｄ変換部２０１に上記電気信号をＲ，Ｇ，Ｂのデジタル信号（画像データ）に変換させ（Ｓ７）、シェーディング補正部２０２にシェーディング補正を行わせ（Ｓ８）、シェーディング補正後のＲ，Ｇ，Ｂのデジタル信号を領域分離処理部２０３に出力させる。領域分離処理部２０３は、シェーディング補正部２０２から入力されたＲ，Ｇ，Ｂのデジタル信号をそのまま反射比率算出部２０４に出力する。
【００９３】
次に、制御部４００は、反射比率算出部２０４を制御し、上記のＲ，Ｇ，Ｂのデジタル信号に基づいてＣＣＤ素子６４が受光した正反射光の光量を算出させる（Ｓ９）。また、制御部４００は、反射比率算出部２０４を制御し、Ｓ５で算出した乱反射光の光量とＳ９で算出した正反射光の光量とに基づいて正反射比率を算出させる（Ｓ１０）。反射比率算出部２０４は、「正反射比率＝正反射光の光量／乱反射光の光量」を演算することによって正反射比率を算出する。なお、反射比率算出部２０４は、算出した正反射比率を制御部４００に出力するとともに、領域分離処理部２０３から入力されたＲ，Ｇ，Ｂのデジタル信号をそのまま入力階調補正部２０５に出力する。
【００９４】
次に、制御部４００は、反射比率算出部２０４が算出した正反射比率が予め設定される所定値以上であるか否かを判断する（Ｓ１１）。
【００９５】
そして、所定値未満であると判断した場合、制御部４００は、入力階調補正部２０５を制御して標準設定の入力階調補正処理を行わせ（Ｓ１２）、色補正部２０６を制御して標準設定の色補正処理を行わせる（Ｓ１３）。
【００９６】
一方、所定値以上であると判断した場合、制御部４００は、入力階調補正部２０５を制御して標準設定よりも画像を明るくするための入力階調補正処理を行わせ（Ｓ１４）、色補正部２０６を制御して標準設定よりも鮮やかな色合いにさせるための色補正処理を行わせる（Ｓ１５）。なお、入力階調補正部２０５は入力階調補正処理後のＲ，Ｇ，Ｂのデジタル信号を色補正部２０６に出力し、色補正部２０６はＲ，Ｇ，Ｂのデジタル信号をＣ，Ｍ，Ｙ，Ｋのデジタル信号に変換して空間フィルタ処理部２０７に出力する。
【００９７】
その後、制御部４００は、空間フィルタ処理部２０７を制御してＣ，Ｍ，Ｙ，Ｋのデジタル信号に対して領域識別信号に応じた空間フィルタ処理を行わせ（Ｓ１６）、拡大縮小処理部２０８を制御してユーザーからの指示入力に応じたサイズになるように拡大処理または縮小処理を施させ（Ｓ１７）、中間調処理部２０９を制御して領域識別信号に応じた中間調処理を施させ（Ｓ１８）、中間調処理が施されたＣ，Ｍ，Ｙ，Ｋのデジタル信号を画像出力装置３００に出力させて処理を終了する。
【００９８】
以上のように、本実施形態では、画像入力装置１００が原稿からの正反射光と乱反射光とをそれぞれ受光し、正反射光の光量と乱反射光の光量との比率（正反射比率）に応じて原稿に対する補正処理の内容を制御する。
【００９９】
ここで、上記の正反射比率は原稿の光沢度に応じた数値になる。したがって、正反射比率に基づいて補正処理の内容を制御することにより、原稿の光沢度に応じた画像処理を行うことができる。また、原稿を読み取るための光学部材を用いて原稿の正反射比率を検出できるので、上述した従来技術のように、原稿の光沢度を検出するための光沢計を備える必要がなく、装置構成の小型化および低コスト化を図ることができる。
【０１００】
また、画像入力装置１００によって読み取った原稿画像データに光沢度に応じた補正を施すことができるので、特殊な構成の画像形成装置や表示装置を用いなくても、原稿の光沢度に起因する画質の低下を抑制したより忠実な画像を印刷あるいは表示することができる。
【０１０１】
なお、本実施形態では、原稿ＰからＣＣＤ素子６４に至るまでの反射光の光路に配された第１反射ミラー６３ａの位置を移動させることによって正反射光と乱反射光とをそれぞれ受光しているが、これに限るものではなく、原稿からの正反射光と乱反射光とをそれぞれ受光してこれら各反射光の光量を検出するとともに、受光した乱反射光に基づいて原稿画像データを生成できる構成であればよい。例えば、原稿Ｐからの反射光をＣＣＤ素子６４に直接入射させる構成とし、ＣＣＤ素子６４の位置を、正反射光を受光するための位置と乱反射光を受光するための位置とに移動させるようにしてもよい。
【０１０２】
また、正反射光と乱反射光とを共通のＣＣＤ素子６４で受光する構成に限らず、正反射光を受光するための位置に第１ＣＣＤ素子（第１受光素子）を配置し、乱反射光を受光するための位置に第１ＣＣＤ素子とは別の第２ＣＣＤ素子（第２受光素子）を配置してもよい。この場合にも、一方のＣＣＤ素子については原稿の読み取りを行うためのＣＣＤ素子で共用することができるので、上述した従来技術のようにスキャナとは別に光沢計を備える構成に比べて装置構成の小型化および低コスト化を図ることができる。
【０１０３】
また、本実施形態では、正反射比率が所定値以上の場合に、標準設定の入力階調処理よりも画像が明るくなる入力階調処理を行い、かつ標準設定の色補正処理よりも色が鮮やかになる色補正処理を行っているが、これに限るものではない。例えば、正反射比率が所定値以上の場合に、標準設定の入力階調処理よりも画像が明るくなる入力階調処理、または標準設定の色補正処理よりも色が鮮やかになる色補正処理のうちのいずれか一方のみを行うようにしてもよい。
【０１０４】
また、第１所定値、第２所定値、および第３所定値を予め設定しておき、正反射比率が第１所定値未満の場合には標準設定の入力階調補正処理および標準設定の色補正処理を行い、第１所定値以上第２所定値未満の場合には入力階調補正処理および色補正処理のうちの一方を標準設定と異ならせ、第２所定値以上第３所定値未満の場合には入力階調補正処理および色補正処理のうちの他方を標準設定と異ならせ、第３所定値以上の場合には入力階調補正処理および色補正処理の両方を標準設定と異ならせるようにしてもよい。あるいは、入力階調処理を標準設定と異ならせるか否かを判定するための閾値と、色補正処理を標準設定と異ならせるか否かを判定するための閾値とを互いに独立して設定するようにしてもよい。
【０１０５】
また、本実施形態では、入力階調処理の種類を標準設定の入力補正処理と標準設定よりも画像が明るくなる入力補正処理の２種類としているが、これに限るものではない。例えば、正反射比率の値が大きいほど、すなわち原稿の光沢度が高いほど画像が明るくなるように入力階調補正の内容を正反射比率の大きさに応じて多段階あるいは連続的に切り替えてもよい。
【０１０６】
同様に、正反射比率の値が大きいほど、すなわち原稿の光沢度が高いほど鮮やかな色合いになるように色補正処理の内容を正反射比率の大きさに応じて多段階あるいは連続的に切り替えてもよい。
【０１０７】
また、原稿種別（例えば、印画紙、光沢紙、普通紙など）を判定するための正反射比率の閾値を予め設定しておき、正反射比率に基づいて原稿種別を判断し、原稿種別に応じた入力階調補正処理および色補正処理を行うようにしてもよい。
【０１０８】
また、本実施形態では、正反射比率に基づいて入力階調補正処理および色補正処理の内容を切り替えているが、これに限らず、例えば正反射比率に基づいて原稿の光沢度を算出し、算出した光沢度に応じて切り替えるようにしてもよい。例えば、原稿種別（例えば、印画紙、光沢紙、普通紙など）を判定するための光沢度の閾値を予め設定しておき、正反射比率に基づいて算出される原稿の光沢度に応じて原稿種別を判断し、入力階調補正部２０５および色補正部２０６が、原稿種別に応じた入力階調補正処理および色補正処理を行うようにしてもよい。
【０１０９】
正反射比率に基づいて光沢度を算出するための方法としては、例えば、図６に示すように、図３に示した画像処理装置２００の構成に加えて、正反射比率の値と複数種類の原稿の光沢度との対応関係を示す光沢度テーブルを記憶する光沢度テーブル記憶部２１０と、反射比率算出部２０４が算出した正反射比率と上記光沢度テーブルとに基づいて原稿の光沢度を算出する光沢度算出部２１１と、上記光沢度算出部の算出した光沢度の大きさに応じて原稿を予め設定された複数の原稿種別のいずれかに分類する原稿種別分類部２１２とを画像処理装置２００に設けておけばよい。また、上記光沢度テーブルは、例えば、複数種類のサンプルの光沢度（例えば、光沢度の異なる複数種類のサンプルの光沢度を光沢計で測定した結果）と、これら各サンプルを画像入力装置１００でスキャンすることによって算出される各サンプルの正反射比率との対応関係を予め測定することによって生成すればよい。
【０１１０】
また、本実施形態では、原稿全体について同様の基準に基づいて入力階調補正処理および色補正処理の内容を切り替えているが、これに限るものではない。例えば、領域の種別毎（例えば、黒文字領域、色文字領域、網点領域、印画紙写真（連続階調領域）領域などの種別毎）に入力階調補正処理および色補正処理の内容を切り替える判定基準を予め設定しておき、領域分離処理部２０３の領域分離結果に基づいて、各領域の種別毎とこれら各領域における正反射比率とに基づいて入力階調補正処理および色補正処理の内容を領域毎に切り替えるようにしてもよい。
【０１１１】
また、本実施形態では、原稿を読み取る際に常に正反射比率を算出し、算出した正反射比率に応じて入力階調補正処理および色補正処理の内容を切り替えているが、これに限るものではない。例えば、正反射比率の算出および正反射比率に応じて入力階調補正処理および色補正処理の内容を切り替える処理を行うモードと行わないモードとをユーザーが操作パネル５００を介して任意に選択できるようにしてもよい。また、正反射比率の算出および正反射比率に応じて入力階調補正処理および色補正処理の内容を切り替える処理を行わない場合には、正反射光の光量を検出するためのスキャン処理を省略するようにしてもよい。すなわち、本実施形態では、光源から出射される光で原稿を照射して上記原稿からの乱反射光を受光した結果に基づいて上記原稿画像データの生成および上記乱反射光の光量の算出を行う第１スキャン処理（図１のＳ１〜Ｓ５）と、光源から出射される光で原稿を照射して上記原稿からの正反射光を受光した結果に基づいて上記正反射光の光量を算出する第２スキャン処理（図１のＳ６〜Ｓ１０）とを互いに重畳しないタイミングで行うようになっているが、正反射比率に応じて入力階調補正処理および色補正処理の内容を切り替える処理を行わない場合には、第２スキャン処理を行わないようにしてもよい。
【０１１２】
また、本実施形態では、正反射比率に応じて原稿画像データに入力階調補正処理および色補正処理を施す構成について説明したが、これに限るものではない。例えば、図７に示すように、図３に示した画像処理装置２００の構成に加えて、反射比率算出部２０４の算出した正反射比率、正反射比率に基づいて算出される原稿の光沢度に応じた値、および正反射比率（あるいは正反射比率に基づいて算出される光沢度）に基づいて分類される原稿の原稿種別を示す情報のうちのいずれか１つ以上を画像入力装置１００から入力される原稿画像データに付加した画像ファイルを生成する画像ファイル生成部２１３を設けてもよい。これにより、上記画像ファイルに対する処理を行う装置において、正反射比率、原稿の光沢度、あるいは原稿種別を考慮した処理を行うことができる。
【０１１３】
なお、上記画像ファイルを生成する場合、色補正部２０６が入力階調補正部２０５から入力されたＲＧＢの画像データを、一般に普及している表示装置の表示特性に適合したＲ’Ｇ’Ｂ’の画像データ（例えば、ｓＲＧＢデータ）に変換し、空間フィルタ処理部２０７が上記Ｒ’Ｇ’Ｂ’の画像データに対して、領域識別信号を基にデジタルフィルタによる空間フィルタ処理（強調処理および／または平滑化処理）を行い、中間調生成部２０が上記Ｒ’Ｇ’Ｂ’の画像データに対して領域識別信号を基に所定の処理を施し、画像ファイル生成部２１３に出力するようにしてもよい。
【０１１４】
また、図７に示すように、図３に示した画像形成装置１０の構成に加えて、ネットワークを介して接続された他の装置との通信を行う通信装置７００を設け、通信部７００を介して画像ファイル生成部２１３が生成した画像ファイルを他の装置に送信するようにしてもよい。また、図７に示すように、図３に示した画像形成装置１０の構成に加えて、画像ファイルを記憶する画像記憶装置８００を設け、画像ファイル生成部２１３が生成した画像ファイルを画像記憶装置８００に記憶させるようにしてもよい。
【０１１５】
また、本実施形態では、画像出力装置３００が正反射比率に応じて補正された原稿画像データに応じた画像を記録材上に印刷する構成について説明したが、原稿画像データの出力形態はこれに限るものではない。例えば、画像形成装置（画像データ出力処理装置）１０は、上記原稿画像データに応じた画像を表示（出力処理）する表示部（出力処理部）、上記原稿画像データを通信可能に接続された他の装置に送信（出力処理）する送信部（出力処理部）、上記原稿画像データを所定の保存先に保存（出力処理）する保存処理部（出力処理部）を備えた構成であってもよい。
【０１１６】
なお、上記実施形態において図３に示した画像形成装置１０に備えられる各部（各ブロック）を、ＣＰＵ等のプロセッサを用いてソフトウェアによって実現してもよい。この場合、デジタル複合機１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像形成装置１０の制御プログラムのプログラムコード（実行形式プログラム、中間コードプログラム、ソースプログラム）をコンピュータで読み取り可能に記録した記録媒体を、画像形成装置１０に供給し、そのコンピュータ（またはＣＰＵやＭＰＵ）が記録媒体に記録されているプログラムコードを読み出し実行することによって達成される。
【０１１７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１８】
また、画像形成装置１０を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１９】
また、画像形成装置１０の各ブロックは、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【０１２０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２１】
本発明は、原稿の画像を読み取って上記原稿の画像データである原稿画像データを生成する画像読取装置および画像読取方法に適用できる。
【符号の説明】
【０１２２】
１０  画像形成装置（画像データ出力処理装置）
５０  スキャナユニット（受光部、画像データ生成部）
６０ａ  第１走査ユニット
６０ｂ  第２走査ユニット
６２  光源
６３ａ  第１反射ミラー（光学素子）
６３ｂ  第２反射ミラー
６３ｃ  第３反射ミラー
６３ｄ  光学レンズ
６３ｅ  第４反射ミラー
６４    ＣＣＤ素子（受光素子）
１００  画像入力装置（画像読取装置）
１０２  スキャナ制御部
１０３  光源制御部
１０４  走査制御部
１０５  受光制御部
１０６  受光位置制御部（受光位置変更部）
２００  画像処理装置
２０４  反射比率算出部
２０５  入力階調補正部（画像データ補正部）
２０６  色補正部（画像データ補正部）
２１０  光沢度テーブル記憶部
２１１  光沢度算出部
２１２  原稿種別分類部
２１３  画像ファイル生成部
３００  画像出力装置（画像出力部）
４００  制御部
【図１】
2011217270.tif 000003
【図２】
2011217270.tif 000004
【図３】
2011217270.tif 000005
【図４】
2011217270.tif 000006
【図５】
2011217270.tif 000007
【図６】
2011217270.tif 000008
【図７】
2011217270.tif 000009